【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
画像表示装置のキャリブレーションを行うキャリブレーション装置であって、
前記画像表示装置に入力された複数の画像データの階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション手段と、
前記画像表示装置で表示可能な全階調のうちから、前記取得手段により取得された情報に基づいて、前記キャリブレーション手段が表示輝度の測定を行う階調を選択する選択手段と、
を備える画像表示装置のキャリブレーション装置。
【請求項２】
前記取得手段は、前記画像表示装置に入力された複数の画像データの階調毎の累計頻度の情報を取得し、
前記選択手段は、前記累計頻度が高い順に選択される所定数の階調を少なくとも含む複数の階調を選択する請求項１に記載の画像表示装置のキャリブレーション装置。
【請求項３】
前記累計頻度は、前記画像表示装置に画像データが入力された時期に応じた重み付け係数を用いて求められる請求項２に記載の画像表示装置のキャリブレーション装置。
【請求項４】
前記キャリブレーション手段は、表示輝度の測定を行わない階調について、表示輝度の測定を行った階調についてのキャリブレーションの結果に基づく補間によりキャリブレーションを行う請求項１〜３のいずれか１項に記載の画像表示装置のキャリブレーション装置。
【請求項５】
前記取得手段は、前記画像表示装置に入力されている画像データの階調の情報をさらに取得し、
前記取得手段により取得された情報に基づいて選択される一又は複数の階調の少なくともいずれかの階調において、その階調に対応する測色用画像を前記画像表示装置に表示させたときの表示輝度の測定値とその階調に対応する表示輝度の目標値との差が閾値以上で
ある場合、前記キャリブレーション手段は、前記画像表示装置のキャリブレーションを実行する請求項１〜４のいずれか１項に記載の画像表示装置のキャリブレーション装置。
【請求項６】
画像表示装置のキャリブレーションを行うキャリブレーション装置の制御方法であって、
前記画像表示装置に入力された複数の画像データの階調に関する情報を取得する取得工程と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション工程と、
前記画像表示装置で表示可能な全階調のうちから、前記取得工程により取得された情報に基づいて、前記キャリブレーション工程が表示輝度の測定を行う階調を選択する選択工程と、
を備える画像表示装置のキャリブレーション装置の制御方法。
【請求項７】
画像表示装置と、前記画像表示装置のキャリブレーションを行うキャリブレーション装置と、からなる画像表示システムであって、
前記画像表示装置は、
入力された複数の画像データの階調に関する情報を記憶する記憶手段と、
入力される画像データに対し画像処理を行う画像処理手段と、
前記画像処理手段により画像処理が行われた画像データに基づく画像を表示する表示手段と、
前記キャリブレーション装置から前記画像処理のキャリブレーションを行うためのデータを取得する取得手段と、
前記取得手段により取得されるデータを用いて前記画像処理のキャリブレーションを行うキャリブレーション手段と、
を備え、
前記キャリブレーション装置は、
前記画像表示装置から前記階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像処理のキャリブレーションを行うためのデータを生成する生成手段と、
前記生成手段が生成した前記データを前記画像表示装置に送信する送信手段と、
前記画像表示装置で表示可能な全階調のうちから、前記取得手段により取得された情報に基づいて、前記キャリブレーションにおいて表示輝度の測定を行う階調を選択する選択手段と、
を備えることを特徴とする画像表示システム。
【請求項８】
入力された複数の画像データの階調に関する情報を記憶する記憶手段と、
入力される画像データに対し画像処理を行う画像処理手段と、
前記画像処理手段により画像処理が行われた画像データに基づく画像を表示する表示手段と、
前記表示手段で表示可能な全階調数より少ない複数の階調の各々について、各階調に対応する測色用画像を前記表示手段に表示させたときの表示輝度を測定し、当該表示輝度の測定値と各階調に対応する表示輝度の目標値との差に基づいて前記画像処理手段のキャリブレーションを行うキャリブレーション手段と、
前記表示手段で表示可能な全階調のうちから、前記記憶手段に記憶される階調に関する情報に基づいて、前記キャリブレーション手段が表示輝度の測定を行う階調を選択する選
択手段と、
を備えることを特徴とする画像表示装置。
【手続補正２】
【補正対象書類名】明細書
【補正対象項目名】００１０
【補正方法】変更
【補正の内容】
【００１０】
本発明は、画像表示装置のキャリブレーションを行うキャリブレーション装置であって、
前記画像表示装置に入力された複数の画像データの階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション手段と、
前記画像表示装置で表示可能な全階調のうちから、前記取得手段により取得された情報に基づいて、前記キャリブレーション手段が表示輝度の測定を行う階調を選択する選択手段と、
を備える画像表示装置のキャリブレーション装置である。
【手続補正３】
【補正対象書類名】明細書
【補正対象項目名】００１１
【補正方法】変更
【補正の内容】
【００１１】
本発明は、画像表示装置のキャリブレーションを行うキャリブレーション装置の制御方法であって、
前記画像表示装置に入力された複数の画像データの階調に関する情報を取得する取得工程と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション工程と、
前記画像表示装置で表示可能な全階調のうちから、前記取得工程により取得された情報に基づいて、前記キャリブレーション工程が表示輝度の測定を行う階調を選択する選択工程と、
を備える画像表示装置のキャリブレーション装置の制御方法である。
【手続補正４】
【補正対象書類名】明細書
【補正対象項目名】００１２
【補正方法】変更
【補正の内容】
【００１２】
本発明は、画像表示装置と、前記画像表示装置のキャリブレーションを行うキャリブレーション装置と、からなる画像表示システムであって、
前記画像表示装置は、
入力された複数の画像データの階調に関する情報を記憶する記憶手段と、
入力される画像データに対し画像処理を行う画像処理手段と、
前記画像処理手段により画像処理が行われた画像データに基づく画像を表示する表示手
段と、
前記キャリブレーション装置から前記画像処理のキャリブレーションを行うためのデータを取得する取得手段と、
前記取得手段により取得されるデータを用いて前記画像処理のキャリブレーションを行うキャリブレーション手段と、
を備え、
前記キャリブレーション装置は、
前記画像表示装置から前記階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像処理のキャリブレーションを行うためのデータを生成する生成手段と、
前記生成手段が生成した前記データを前記画像表示装置に送信する送信手段と、
前記画像表示装置で表示可能な全階調のうちから、前記取得手段により取得された情報に基づいて、前記キャリブレーションにおいて表示輝度の測定を行う階調を選択する選択手段と、
を備えることを特徴とする画像表示システムである。
【手続補正５】
【補正対象書類名】明細書
【補正対象項目名】００１３
【補正方法】変更
【補正の内容】
【００１３】
本発明は、入力された複数の画像データの階調に関する情報を記憶する記憶手段と、
入力される画像データに対し画像処理を行う画像処理手段と、
前記画像処理手段により画像処理が行われた画像データに基づく画像を表示する表示手段と、
前記表示手段で表示可能な全階調数より少ない複数の階調の各々について、各階調に対応する測色用画像を前記表示手段に表示させたときの表示輝度を測定し、当該表示輝度の測定値と各階調に対応する表示輝度の目標値との差に基づいて前記画像処理手段のキャリブレーションを行うキャリブレーション手段と、
前記表示手段で表示可能な全階調のうちから、前記記憶手段に記憶される階調に関する情報に基づいて、前記キャリブレーション手段が表示輝度の測定を行う階調を選択する選択手段と、
を備えることを特徴とする画像表示装置である。